(57)【要約】眼鏡（１）は、使用位置で視界を覆って、テンプル（３）を光学中心部分（２）に作用させる保管状態から、テンプル（３）を中心部分（２）から外側へ折る使用状態へ枢動することができる光学中心部分（２）に枢支連結部（４）を介して各々関節でつながれている２つのテンプル（３）を有しており、光学中心部分（２）は柔軟性のある弾性材料から製造されている。本発明によれば、枢支連結部（４）の湾曲した枢支軸を介して、または、互いに直角に配列した枢支連結部（４）の少なくとも２本の直線の枢支軸を介して、中心部分（２）に各々関節でつながれている２つのテンプル（３）が提案されている。このようにして、使用位置において、着用者の眼に到達するにもかかわらず光学中心部分（２）を横切らない、側面から入る光の大部分を抑止する保護眼鏡または３Ｄ眼鏡を製造することができる。眼鏡（１）は、それらの取り扱いが実用的かつ製造が安価である。【選択図】図１
2020510231.tif 000002
【特許請求の範囲】
【請求項１】
眼鏡（１）であって、使用位置では視界を覆って、保管状態から枢動することができる光学中心部分（２）に、枢支連結部（４）を介して各々関節でつながれている２つのテンプル（３）を有しており、保管状態では、前記テンプル（３）は前記光学中心部分（２）に作用しており、使用状態では、前記テンプル（３）を前記中心部分（２）から外側へ折っており、前記光学中心部分（２）は柔軟性材料から製造される眼鏡（１）において、前記光学中心部分（２）は柔軟性材料から作られており、前記２つのテンプル（３）は、いずれの場合においても、前記枢支連結部（４）のうち少なくとも１本の湾曲した枢支軸を介して、または、いずれの場合においても、互いに交わって配置される少なくとも２本の直線の枢支連結部（４）を介して、前記中心部分（２）に関節でつながれており、柔軟性材料から製造される前記光学中心部分（２）は、外側へ枢動する前記テンプル（３）の前記枢支角度に依存する状態をとることで、前記枢支角度が増大するにつれて次第に湾曲することを特徴とする眼鏡（１）。
【請求項２】
前記光学中心部分（２）は、前記保管状態において予め反りを備えることを特徴とする、請求項１に記載の眼鏡（１）。
【請求項３】
前記枢動連結部（４）は、少なくとも１つの折り曲げ線（５）または折り曲げ区域（７）であることを特徴とする、請求項１または２に記載の眼鏡（１）。
【請求項４】
前記枢動連結部（４）は、少なくとも２本の平行な折り曲げ線（７）であることを特徴とする、請求項３に記載の眼鏡（１）。
【請求項５】
前記枢動連結部（４）は、フィルムヒンジ（８）であることを特徴とする、請求項１〜４のうち一項に記載の眼鏡（１）。
【請求項６】
前記フィルムヒンジ（８）は、前記フィルムヒンジ（８）が２本の平行した折り曲げ線（５）の間にビード（１３）を有することを特徴とする、請求項５に記載の眼鏡（１）。
【請求項７】
前記中心部分（２）は、前記中心部分（２）の横断方向に走る対称軸（Ｓ）に対称的におよび直角に配置される少なくとも１つの湾曲部（１０）を有することを特徴とする、請求項１〜６のうち一項に記載の眼鏡（１）。
【請求項８】
前記テンプル（３）は、前記テンプル（３）の長手方向に走る少なくとも１つの補強湾曲部（１１）を各々有することを特徴とする、請求項１〜７のうちいずれか一項に記載の眼鏡（１）。
【請求項９】
前記中心部分（２）は、前記光学中心部分（２）の横断方向に走る対称軸（Ｓ）に対称的におよび直角に配置される少なくとも１つの長手方向の補強材（２２）を有することを特徴とする、請求項１〜８のうち一項に記載の眼鏡（１）。
【請求項１０】
前記テンプル（３）は、前記テンプル（３）の長手方向に走る少なくとも１つの長手方向の補強材（２２）を各々有することを特徴とする、請求項１〜９のうち一項に記載の眼鏡（１）。
【請求項１１】
前記テンプル（３）は、前記保管状態において前記それぞれの一方のテンプル（３）を受け入れるための凹部（１４）を各々有することを特徴とする、請求項１〜１０のうち一項に記載の眼鏡（１）。
【請求項１２】
前記光学中心部分（２）は、前記テンプル（３）を越えてわずかに突設することを特徴とする、請求項１〜１１のうち一項に記載の眼鏡（１）。
【請求項１３】
前記テンプル（３）は、前記光学中心部分（２）を越えてわずかに突設することを特徴とする、請求項１〜１２のうち一項に記載の眼鏡（１）。
【請求項１４】
前記テンプル（３）および／または前記光学中心部分（２）は、前記枢支連結部（４）の領域で弾性シールを有することを特徴とする、請求項１〜１３のうち一項に記載の眼鏡（１）。
【請求項１５】
前記枢動連結部（４）は、前記折り曲げ区域より小さな曲げ弾性を備えた材料から作った少なくとも一部分を有するそれぞれの前記テンプル（３）に前記光学中心部分（２）を連結する折り曲げ区域（７）として設計されることを特徴とする、請求項１〜１４のうち一項に記載の眼鏡（１）。
【発明の詳細な説明】
【技術分野】
【０００１】
本発明は２つのテンプルを備えた眼鏡に関し、それぞれのテンプルは、使用位置で視界を覆っている光学中心部分に、枢支連結部を介してヒンジで取り付けられており、テンプルを光学中心部分に作用させる保管状態の位置から、テンプルを中心部分から外側へ折る使用状態に枢動することができ、光学中心部分は、請求項１の一般的な条件によれば、柔軟性材料でできている。
【背景技術】
【０００２】
柔軟な弾性材でできている光学中心部分を有するこのタイプの眼鏡は、例えば、着用者の目に放射される光の全体的な強度を弱めるか、または、選択された周波数範囲に対する光の強度を弱めるのに役立つ。実施例としては、サングラスまたはイエローフィルタガラスがある。使用位置の視界を覆う光学中心部分の製造に対しては、体のメラトニンのバランスに影響を与えるために、サングラスのような紫外線の周波数範囲、または、イエローフィルタガラスのような青色の周波数範囲の光を弱めて、かつ柔軟性のある特別な合成材料は公知である。ここで用語「柔軟性のある」とは、対応する材料が、手で取り扱うときに、伸縮性はないが柔軟性をもち、無負荷状態では、初期状態に弾性的に戻ることができることを意味する。さらに、光学中心部分の右左の視界が、３次元的に画像を表示するための異なるフィルタ特性を有し、したがって３Ｄ眼鏡とも呼ばれる眼鏡は公知である。また、これらの眼鏡は、対応する光学特性を備えたプラスチックでできており、それは通常柔軟性がある。
【０００３】
特に防護効果を達成させる場合、光学中心部分は、顔に可能な限り近接して配置されなければならず、そのため、眼鏡レンズの端部と皮膚の表面との間の距離は可能な限り小さく保たれる。このようにして、着用者の目に達するにもかかわらず光学中心部分を横切らない、側面から入る光の入る光量を減らすことができる。加えて、機械的な障壁を眼域とその周囲との間に作製して、ダスト、砂、液飛びなどからのさらなる保護を提供できる。しかしながら、これには実用上限界があり、それは例えば着用者が、欠陥のある視力を補正するために眼鏡を着用し、またイエローフィルタガラスまたは３Ｄ眼鏡を着用しなければならないときである。側面から入る光量を減らすために、我々は、光学中心部分のフレーム部が、基本的に眼鏡の光学的に有効な表面から垂直に突出し、使用位置において着用者の顔に延在するデザインについても知っている。しかしながら、これらのデザインでは実用上かさ高くて扱いにくく、製造するのに比較的高価である。
【発明の概要】
【発明が解決しようとする課題】
【０００４】
したがって、使用位置において、着用者の目に達するにもかかわらず光学中心部分を横切らない、側面から入る光の大部分を抑止する眼鏡を実現することが本発明の目的である。眼鏡は、扱いが実用的でかつ製造が安価でなければならない。
【課題を解決するための手段】
【０００５】
これらの目的は、請求項１に記載の特徴を通して達成される。請求項１は、２つのテンプルを備えた眼鏡に関し、各々のテンプルは、使用位置で視界を覆っている光学中心部分に、枢支連結部を介してヒンジで取り付けられており、テンプルが光学中心部分に作用する保管状態から、テンプルが柔軟性材料で作られた中心部分から外側へ折られる使用状態へ枢動することが可能である。本発明によれば、枢支連結部の少なくとも１つの湾曲した枢支軸、または、互いに直角に配置される枢支連結部のうち少なくとも２本の直線の枢支軸を介して中心部分に各々関節でつながれている２つのテンプルを提供し、光学中心の柔軟性材料は、枢支角度が増加するにつれて、テンプルが外側へ枢動して、次第に湾曲するようになるときに、テンプルの枢支角度に依存する状態をとる。互いに直角に配置される直線の回転軸の場合には、回転軸またはそれらの想像上の延長部分は、０°または１８０°以外の角度を囲み、したがって、互いに平行して配置されない。
【０００６】
このデザインは、光学中心部分が柔軟性材料でできており、テンプルを外側へ回動するときに増加する回動角度によって、テンプルの回動角度に依存して次第に湾曲する状態をとるといった効果を有する。より剛性のある光学中心部分の柔軟性材料は、枢支軸または互いに対して少なくとも２本の直線の枢支軸の傾斜した位置からなる反りをより大きくし、枢動角度が大きくなるほど、作用する曲げ力は大きくなる。
【０００７】
ヒンジで取り付けられるブラケットの場合には、光学中心部分の異なる高さからなる反りを実現することが可能であり、その反りは非常に強くし得て、光学中心部分を使用位置でその外周ラインによって着用者の顔と少なくとも部分的に接触させることができる。着用者の目に達するにもかかわらず光学中心部分を横切らない、側面から入る光は、このように可能な限り減らすことができる。
【０００８】
本発明による眼鏡の大きさが好適である場合、欠陥のある視力の補正用のガラスは、本発明による眼鏡の下部にも着用させることができる。光学中心部分にテンプルを戻すために眼鏡を取り外す場合、光学中心部分はその位置に弾性的に戻る。光学中心部分は通常フレームがなく、テンプルは光学中心部分に直接ヒンジに取り付けられ、従来の手段のようなフレームに取り付けられないため、テンプルが外側へ回動されるときに発揮される曲げ力は、光学中心部分およびその反りの原因に直接に伝達される。光学中心部分は、眼鏡のそれと類似の外周部を有し、２つの可視領域および２つの可視領域より中央の鼻領域を画定する。加えて、湾曲した光学中心領域は、それらの平坦状態にテンプルを戻して、光学中心部分の方向にそれらを引き寄せる力を発揮するので、回転軸の独創的なデザインによって、テンプルは眼鏡を広げるときに、着用者のテンプルにわずかな収縮圧力を発揮するようになる。
【０００９】
光学中心部分は、特に保管状態における実用的な取り扱い、およびより費用効果の高い製造を可能にするために、保管状態において平坦状態を採用することができる。しかしながら、光学中心部分が保管状態で予め湾曲して、眼鏡テンプルが外側へ回動する際に光学中心部分が内側よりもむしろ外側へ確実に湾曲して、必要な曲げ力を減らすことをも提供し得る。
【００１０】
本デザインによれば、テンプルおよび光学中心部分は、柔軟性材料から作ることができ、そのため、特に単純かつ費用効果の高い解決が可能である。これらのデザインには、回転連結部が少なくとも１つの折り曲げ線または折り曲げ区域であることが望まれる。折り曲げ線または折り曲げ区域は、材料を弱めること、例えばこれらの領域の穿孔によって、達成され得る。
【００１１】
回転連結部は、０°から少なくとも９０°までテンプルの回転角度を許容しなければならない。テンプルの頻繁な枢動を通じて、枢支継手に作用する力により生じる材料の損傷を減らすために、枢動連結部は、各折り曲げ線の曲げ角度を減らすために少なくとも２本の平行した折り曲げ線であることが望まれる。９０°の回動角度では、例えば、折り曲げ線ごとの曲げ角度は４５°まで減少し、材料の応力を軽減させ、これを減少させることができる。いくつかの平行した折り曲げ線を実現する場合、問題の枢支継手の領域は、上記のように折り曲げ区域内で最終的に変化する。
【００１２】
さらなるデザイン形態は、フィルムヒンジである枢支連結部を提供する。ここで、材料フィルムは、その第１の末端部においてテンプルに、例えば接着して取り付けられ、かつその第２の端部において光学中心部分上に取り付けられる。好ましくは、フィルムヒンジは、中心部分の光学特性に影響を及ぼさないデザインのアクセントを設定するために、テンプルおよび光学中央部の外側に取り付けられる。好ましくは、フィルムヒンジは、フィルムヒンジによってビードが形成される２つの平行した折り曲げ線をその間に有する。このようにして、フィルムヒンジ上のせん断負荷が軽減する。加えて、ビードが安定化機能を有するので、より長い距離がテンプルから光学中心部分への曲げ力の伝達を損なうことなく解決することができる。
【００１３】
さらに、光学中心部分の横断方向に走る対称軸に対して、対称的および垂直である少なくとも１つの湾曲部を有すべきである中心部分が提案されることが好ましい。対称軸は鼻領域を走り、眼鏡を２つの対称的な半分に分ける。湾曲部は、テンプルを広げるときに、光学中心部分を内側でなく外側へ確実に湾曲させる。加えて、このような湾曲部は、光学中心部分、特に狭い鼻部を強固にする。あるいは、光学中心部分の横断方向に延在している対称軸に対して対称的におよび直角に配置される少なくとも１つの長手方向の補強材を有する中心部分を提供し得る。さらに、テンプルの長手方向に走る少なくとも１つの長手方向の補強材を各々有するテンプルも設けられ得る。
【００１４】
好ましくは、テンプルは、それぞれの場合においてハンガーを強固にするために、ハンガーの長手方向に走る少なくとも１つの補強湾曲部も有する。
【００１５】
テンプルは、通常、テンプルの間の光学中心部分の延長部分より長いので、テンプルが保管状態で他のテンプルを収容するように凹部を各々有することも示唆される。このように、眼鏡テンプルは、平坦な外形の保管状態で光学中心部分と接触させることができる。
【００１６】
さらに、光学中心部分がテンプルを越えてわずかに突き出す場合には、有利なことが示されている。加えて、テンプルおよび／または光学中心部分が回転連結部の領域で弾性シールを有し得ることが可能である。
【００１７】
加えて、枢支継手が光学中心部分をそれぞれのテンプルに連結している折り曲げ区域として設計され、折り曲げ区域より弱い曲げ弾性を備えた材料のうち少なくとも一部分を有するテンプルを提案する。
【００１８】
本発明は、添付図面の助けを借りた実施例を用いて、以下にさらに詳細に説明される。以下に図面を示す。
【図面の簡単な説明】
【００１９】
【図１】使用位置における発明された眼鏡のデザインを示す斜視図である、
【図２】使用位置における発明された眼鏡の図を示す斜視図である、
【図３ａ】外側へ回動したテンプルを上から見た本発明による眼鏡のデザインを示す図である、
【図３ｂ】外側へ回動したテンプルを正面から見た本発明による眼鏡のデザインを示す図である、
【図３ｃ】外側へ回動したテンプルを側面から見た本発明による眼鏡のデザインを示す図である、
【図４】保管状態にテンプルを回動した本発明による眼鏡のデザインを示す斜視図である、
【図５】それぞれが互いに交差するように配置される直線からなる枢支軸を備える発明された眼鏡のデザインである、
【図６】互いに対する枢支軸の傾斜角（図６ａおよび６ｂ）およびテンプルの枢動角度（図６ｃ）に関する反りの依存性を説明する線図である、
【図７】互いに交差するように配置される３本の直線からなる枢支軸を各々備えた本発明による眼鏡のデザインである、
【図８】湾曲した枢支軸を各々備えた本発明による眼鏡のデザインである、
【図９】本発明による眼鏡用の３つの異なる眼鏡のテンプルの型である、
【図１０】本発明による眼鏡の一体成形のデザインである、
【図１１】本発明による眼鏡の３つに分けたデザインである、
【図１２】２つの平行した折り曲げ線を備えた光学中心部分に対するテンプルの回動連結部を示す詳細図である、
【図１３】折り曲げ区域を備えた光学中心部に対するテンプルの回動連結部を示す詳細図である、
【図１４】ヒンジを介した回動連結部のデザインを描写したものである、
【図１５】眼鏡の未連結状態（図１５ａ）、挿入状態（図１５ｂ）、および保管状態（図１５ｃ）に相当する状態におけるヒンジを介した回動連結部のさらなるデザインを描写したものである、
【図１６】保管状態（図１６ａ）および広げた状態（図１６ｂ）に相当する状態におけるフィルムヒンジを介した枢支連結部のさらなるデザイン形態を描写するものである、
【図１７ａ】斜視図の図１６ａによるデザインである、
【図１７ｂ】斜視図の図１６ｂによるデザインである、
【図１８】中心部分において湾曲部を備えた本発明の眼鏡のさらなる型を描写したものである、
【図１９】テンプルの長手方向に走る湾曲部を備えた発明された眼鏡のさらなるデザインを描写したものである、
【図２０】もう一方のテンプルを収容するためにテンプルと中心部分との間に提供される溝穴を備えた発明された眼鏡のさらなるデザインを描写したものである、
【図２１ａ】テンプルを備えた本発明の眼鏡のさらなるデザイン形態の透視投影図であり、それは各々がそれぞれのもう一方のテンプルを受容するための凹部を有し、図２０では右のテンプルは部分的に折り重ねられている、
【図２１ｂ】図２１ａの図のデザインであり、図２１ａにおける右のテンプルを完全に折り重ねているものである、
【図２２ａ】図２１による発明の眼鏡用の第１の型の凹部である、
【図２２ｂ】図２１による発明の眼鏡用の第２のデザインの凹部である、
【図２２ｃ】図２１による発明の眼鏡用の第３のデザインの凹部である、
【図２３ａ】テンプルと光学中心部分との間に部分的に開いた間隙を備えた本発明による眼鏡の別の型である、
【図２３ｂ】本発明による眼鏡の別の型であり、そこでは光学中心部分がテンプルを越えてわずかに突設している、
【図２３ｃ】テンプルが光学中心部分をわずかに越えて突き出している発明された眼鏡の別の型である、
【図２４ａ】テンプルと光学中心部分との間の部分的に開いた間隙を備えた発明された眼鏡の別の型である、
【図２４ｂ】本発明の眼鏡のさらなるデザインであり、それにテンプルおよび光学中心部分が、枢支連結部の領域に弾性シールを有しているものである、
【図２４ｃ】本発明による眼鏡のさらなるデザインであり、それにテンプルが枢支連結部の領域で弾性シールを有するものである、
【図２４ｄ】本発明による眼鏡のさらなるデザイン形態であり、それに光学中心部分が枢動連結部の領域で弾性シールを有するものである、
【図２５】耳部により近い末端部がテンプルの柔軟領域の中へ突き出ている剛性要素によって形成される発明の眼鏡の別のデザインである、
【図２６ａ】本発明による眼鏡を備えたテンプルに対する折り畳みを図示している、
【図２６ｂ】本発明による眼鏡を備えたテンプルに対する折り畳みを図示している、
【図２７ａ】２つに分けたテンプルを備えた発明の眼鏡の別のデザインを図示している、
【図２７ｂ】２つに分けたテンプルを備えた発明の眼鏡の別のデザインを図示している、
【図２８ａ】本発明による眼鏡の別のデザイン形態を図示しており、テンプルが、前部は柔軟性材料によって、後部はアーチ型金属テンプルによって形成されているものである、
【図２８ｂ】本発明による眼鏡の別のデザイン形態を図示しており、テンプルが、前部は柔軟性材料によって、後部はアーチ型金属テンプルよって形成されているものである、
【図２９ａ】弾性のある保持式ストラップを備えた本発明にしたがう眼鏡の別のデザインを図示している、
【図２９ｂ】弾性のある保持式ストラップを備えた本発明にしたがう眼鏡の別のデザインを図示している、
【図３０ａ】中心部分またはテンプルに取り付けられ、または埋め込まれる剛直な長手方向の補強材を備えた本発明による眼鏡からなる別のデザインの図である、
【図３０ｂ】中心部分またはテンプルに、取り付けられるまたは埋め込まれる、剛直な長手方向の補強材を備えた本発明による眼鏡からなる別のデザインの図である、
【図３１ａ】中心部分またはテンプル上の厚い領域を備えた本発明による眼鏡のさらなるデザインを描写している、
【図３１ｂ】中心部分またはテンプル上の厚い領域を備えた本発明による眼鏡のさらなるデザインを描写している、
【図３２】耳部の端部にある継手部によって連結した強固な２つに分けたテンプルを備えた発明された眼鏡のさらなるデザインを描写している。
【発明を実施するための形態】
【００２０】
最初に、図１および図２を参照すると、２つ異なる図の使用位置における発明された眼鏡の型を示す。眼鏡１は、光学中心部分２および２つのテンプル３を有し、その各々が枢支連結部４を介して光学中心部分２にヒンジで取り付けられる。添付図面では、枢動連結部４を太線で示す。図１および２による使用位置では、光学中心部分２は、着用者の視界にわたって湾曲した状態であり、それによって、光学中心部分２の外周ラインは、光学中心部分２を横切らないが、それににもかかわらず着用者の眼に到達する光ができる限り側面から入るのを避けるために、着用者の顔と少なくとも部分的に接触する。
【００２１】
図３は、上から（図３ａ）、正面から（図３ｂ）、および側面から（図３ｃ）参照した外側へ枢動したテンプルを備えた発明された眼鏡の実施形態の図を示す。特に、光学中心部分２は、使用の際に、その母線が対称軸Ｓに対して垂直に走るとき、おおよそ円筒状の反りを有することが分かる。光学中心部分（図３ｂ）は、側面（図３ｃ）からも見ることができる。
【００２２】
光学中心部分２は通常フレームがなく、テンプル３は従来通りの事例のようなフレームにではなく光学中心部分２に直接ヒンジに取り付けられているため、テンプル３を外側へ回動する間に働く曲げ力が、光学中心部分２に直接伝達されて、その反りを生じさせる。本目的のために、光学中心部分２は、２つの可視領域２ａおよび２つの可視領域２ａよりも狭い中央の鼻領域２ｂを画定する眼鏡と類似の外周ライン、および２つの可視領域２ａより狭い中央の鼻領域２ｂ（図３ｂ）を有する。テンプル３と同様に光学中心部分２は、柔軟性材料、好ましくは必要な光学特性を備えた合成材料でできている。
【００２３】
保管状態のときには、テンプル３は、図４に示すように、光学中心部分２に取り付けられることができる。示されるデザインでは、光学中心部分２は保管状態では平坦状態を装い、これは、生産を容易にするのみならず、平坦な構造、したがってコンパクトな保管のために、実際の取り扱いもおおいに容易にする。
【００２４】
図５〜８に基づいて、枢支連結部４の異なる幾何学的な具現形が、ブラケット３を外側へ枢動させる間に本発明による光学中心部分２の所望の反りを達するために説明される。互いに交差するように配置される枢動連結部４の直線の枢動軸の場合には、枢支連結部４の枢支軸は互いに交差するように配置され、枢支軸またはそれらの想像上の延長部分は、０°または１８０°と異なる角度を取り囲み、したがって、互いに平行して配置されない（図５）。このデザインは、柔軟性材料でできている光学中心部分２が、枢支角度の増大に依存する状態をとる効果を有する。互いに対する少なくとも２つの直線からなる枢支軸の傾斜角が大きくなるほど、また図６ｃによって示されるようにテンプル３の枢動角度がより大きいほど、より大きな枢動する反りが達成される。枢支軸および光学中心部分２の曲げ弾性の好適な選択によって、テンプル３を広げたときに達成することができる。
【００２５】
そうする際に、図７に示すように、各々が互いに交差するように配置される枢支連結部４の３つからなる直線の枢動軸を備えた、発明された眼鏡１のデザインを実現することも可能である。さら多くの枢支連結部４が、実際にまたは考えられる限り選択される場合、図８に示すような外形は、そこに２つのテンプル３が湾曲した枢支軸を介して中心部２の枢支連結部４に対する各々のヒンジに取り付けられるように最終的に達成されることができるが、それを連続的に設計することもできる。図９は、発明の眼鏡１用のテンプル３からなる３つの異なる型を示し、それによって、例えば、図３の中心部分２に対するテンプル３の枢動連結部４の２つの枢支軸が、テンプル３にどのように割り当てられるかが明らかにもなる。テンプル３は、光学中心部分２と一体となって、または、分離してしたがって交換可能な部品として設計されることができる。交換可能な部品の場合には、例えば顔が異なる形状のために中心部分２を交換し、または頭が異なる形状のためにテンプル３とも交換することが可能となる。
【００２６】
図１０は、発明の眼鏡１の一体成形の型を示し、２つのテンプル３は、折り曲げ線５を介して光学中心部分２の上部にヒンジで取り付けられる。この折り曲げ線５は、材料を弱めることによって、例えばこの領域の穿孔によって達成されることができる。
【００２７】
中心部分２の下部領域にでは、接着フラップ６が形成され、それを図１０の矢印によって示されるように、テンプル３に取り付けることができる。接着フラップ６は、折り曲げ線５も有する。接着フラップ６をそれぞれのテンプル３に取り付けた後に、テンプル３が中心部分２から遠ざけられるとき、すなわち外側へ枢動させるときにのみ張力のない状態をとることができ、中心部分２は中心部分２の反りを生じさせかつ増大させる張力をもった状態にいたる。明らかに、接着フラップ６を、それぞれのテンプル３に設けることもでき、この場合、中心部分２の下部領域に接着させることができる。
【００２８】
図１０と対照的に、図１１は、光学中心部分２および２つのテンプル３が個別の部品として各々設計される３つに分けたデザインを示す。接着タブ６は、中心部分２の上下領域に形成されて、テンプル３に、例えば接着することによって取り付けられることができる。対して接着タブ６は折り曲げ線５を有する。
【００２９】
すでに述べたように、テンプルの枢支連結部４は、０°から少なくとも９０°まで３つの枢動角度を許容しなければならない。頻繁なテンプル３の枢動を通じて枢支連結部４に作用している力により生じる材料の損傷を低減するために、図１２に示すように、少なくとも２つの平行した折り曲げ線５となる枢支連結部４を提供することができる。この手段は、折り曲げ線５ごとの曲げ角度を減少させる。９０°の枢支角度では、このように、折り曲げ線５ごとの曲げ角度は４５°まで減少し、それによって、材料にかかるストレスは軽減され得る。いくつかの平行した折り曲げ線５が実現される場合、図１３に示すように、それぞれの枢支連結部４の領域は、最終的に折り曲げ区域７に統合される。
【００３０】
図１４は、フィルムヒンジ８の第１の型を示す。ここで、材料フィルムは、例えば挿入されるか、鋲着されるか、または接着されるテンプル３に対してその第１の端部に取り付けられ、かつ光学中心部分２に対してその第２の端部に取り付けられる。図１４のフィルムヒンジ８は、折り曲げ線５を各々有する。対照的に、図１５はヒンジ９を示し、例えばテンプル３に固定される第１のヒンジ部分９ａは突起部を有し、例えば中心部分２に固定される第２のヒンジ部分９ｂは、第１のヒンジ部分９ａの突起部を挿入できる（図１５ｂ）ヒンジ溝穴（図１５ａ）を有する。突起部が、それ自体離すことができない方法で形成された接続部４に挿入される場合、突起部が抵抗を圧倒しなければならないような方法で、突起部を必要な大きさにする。しかしながら、ヒンジ溝穴は、２つのヒンジ部分９ａ、９ｂが保管状態（図１５ｃ）において互いに対して非常に平坦になることができるように、依然として十分に広い。
【００３１】
図１６および１７は、フィルムヒンジ８がビード１３を形成する２つの平行した折り曲げ線５備えたフィルムヒンジ８の別の型を示す。このようにして、フィルムヒンジ８上のせん断応力は軽減する。加えて、ビード１３が安定化機能を有するので、より長い距離がテンプル３から光学中心部分２への曲げ力の伝達を損なうことなく解決することができる。好ましくは、フィルムヒンジ８は、中心部分２の光学特性に影響を及ぼさないデザインのアクセントを設定するために、テンプル３および光学中心部分２の外側に取り付けられる。
【００３２】
さらなるデザインによれば、点線によって図１８に示すように、湾曲部１０を有する中心部分２を設けることができる。この湾曲部が適切である場合、テンプル３を広げたとき、光学部分２を内側ではなく外側へ確実に湾曲させることができる。加えて、このような湾曲部１０は、光学中心部分２を、特により狭い鼻の領域２ｂにおいて補強する。
【００３３】
図１９は、テンプル３が、いずれの場合においてもテンプル３を強固にするために、テンプル３の長手方向に走る補強湾曲部１１を各々有することもできることを示す。この手段は、特にテンプル３に対して柔軟性材料を使用するときには、非常に有利であることが分かる。
【００３４】
さらにデザインにおいて、湾曲部１０または補強湾曲部１１の代わりに、長手方向補強材２２は、図３０ａ，ｂに示すように、光学中心部２またはテンプル３を補強するための湾曲部１０または補強湾曲部１１の代わりに中心部分２またはテンプル３に配置されまたは埋め込まれる。例えば、これらの長手方向補強材２２は、金属棒等のように、強固な長手方向要素として設計されることができる。さらにデザインにおいて、湾曲部１０または補強湾曲部１１の代わりに、図３１ａ，ｂに示すように、厚い領域２３がこれらの要素内に形成されて、光学中心部分２またはテンプル３を補強する。
【００３５】
図２０は、テンプル３は、通常テンプル３の間の光学中心部分２の延長部分を超えるので、溝穴１２がテンプル３と中心部分２との間に設けられ、保管状態にてもう一方のテンプル３を収容することができ、したがって、テンプル３が平坦な外形の保管状態で光学中心部分２と接触することができることを示す。テンプル３が光学中心部分２より長く、耳の領域で十分な支持を与えるので、それらは、溝穴１２を通して挿入されることが可能な眼鏡を折り重ねるときに、強く曲げられなければならないことがある。テンプル３の材料がより厚い場合、このプロセスは、曲げ領域にて材料に重い負荷をかけ得る。
【００３６】
したがって、図２１ａ、ｂおよび２２ａ〜ｃは、２つのテンプル３が保管状態においてそれぞれのもう一方のテンプル３を受容するための凹部１４を各々有するタイプを示しており、そのため、眼鏡（図２１参照）が共に折り重ねられるとき、折り重ねられる第１のテンプル３は、その過程でテンプル３を曲げる必要はなく、反対側のテンプル３の凹部１４を通して光学中心部分２上に折り重ねられ得る。
【００３７】
図２２ｂは、テンプル３が金属テンプル１５、例えば好適なワイヤによって形成されるデザインを示しており、そのため、各テンプル３は当然、反対側のテンプル３の広げる領域を通して折り重ねられることができる。
【００３８】
図２２ｃは、テンプル３における凹部１４が枢支連結部４に延在しないデザインを示しており、そのため、枢支連結部４の領域では、光、風、小片（安全眼鏡として使用される場合）等を防ぐための保護部が残る一方で、しかし、他方では、それらが長手方向において、湾曲させ、折り重ねられ、または押し込まれなければならないことなく、ここでこの小さな凹部１４を通じて突っ込むこともできるので、テンプル３は長手方向でなお強固であることができる。
【００３９】
テンプル３と光学中心部分２との間に形成される間隙１６を通して異物または光の侵入を防止するために、いくつかのデザイン形態は、実施例として以下に与えられる。
【００４０】
図２３ａは、テンプル３と光学中心部分２との間の間隙１６が依然として保護されていないデザインを示す。
【００４１】
他方では、図２３ｂは、光学中心部分２が枢動部分４の間の領域にテンプル３を越えて突設するデザインを示しており、この重複部１７は、異物および光の正面からの侵入を防止する。
【００４２】
図２３ｃは、テンプル３が回転連結部４の間の領域で光学中心部分２を越えて突設するデザインを示しており、この重複部１７は、異物および光の横からの侵入を防止する。
【００４３】
テンプル３と光学中心部分２との間に形成される間隙１６を通る光のための異物の侵入を防止するさらなる可能性として、図２４ａ〜ｄを示す。
【００４４】
図２４ａは、テンプル３と光学中心部分２との間の間隙１６が依然として保護されていないデザインを示す。
【００４５】
他方では、図２４ｂは、光学中心部分２およびテンプル３が枢支連結部４の間の領域の弾性シール１８を有するデザインを示しており、それは異物および光の侵入を防止する。
【００４６】
図２４ｃは、テンプル３が枢支連結部４の間の領域に弾性シール１８を有するデザインを示しており、それは異物および光の侵入を防止する。
【００４７】
図２４ｄは、光学中心部分２が枢支連結部４の間の領域に弾性シール１８を有するデザインを示しており、それは異物および光の侵入を防止する。
【００４８】
勿論、上述したシーリングオプションを、混合形態で使用することもでき、または、本明細書に明確に記載されてはいない他のシーリングオプションを使用することもできる。
【００４９】
使用において本発明による眼鏡の安定性または剛性は、光学中心部分２およびテンプル３の反りによって与えられる。しかしながら、耳領域のテンプル３の材料が、非常に細くなるために満足な反りが存在しない場合、この領域は、頭から離れて曲がって、眼鏡の保持を危うくする可能性がある。
【００５０】
したがって、図２５はテンプル３のデザインを示しており、そのデザインでは、耳により近い端部は、テンプル３の柔軟性領域中へ突き出る剛性要素１９によって形成されて、眼鏡を展開した後に、頭への安定した保持を確実にする。
【００５１】
眼鏡のときに、反対側の溝穴１２、または反対側の凹部１４にテンプル３の強制的な挿入を回避するために、３つのさらなるデザインを以下に与える。
【００５２】
図２６ａ、ｂは、折り曲げ線５に沿ったテンプル３の単純な折り重ねを示す。これは、テンプルの材料が薄い場合に可能である。眼鏡を広げて、テンプル３の折り重ねた部分も折り重ねて広げる場合、それは、円筒状の反りを帯び、もはや頭から離れて曲がる可能性はない。
【００５３】
図２７ａ、ｂは２つに分けたテンプル３を示す。テンプル３の２つのテンプル部分は、光学中心部分２とテンプル３との間の連結部と類似の継手部２０によって互いに連結しているが、ここでは継手部２０の回転軸は一列に並んでいる。
【００５４】
図２８ａ、ｂは、テンプル３が弾性材料によって光学中心部分２の近くのそれらの領域で、また精密に形成された金属テンプル１５によって光学中心部分２から遠いそれらの領域で、形成されるデザインを示す。
【００５５】
図２９ａ，ｂは、光学中心部分２に近い領域のテンプル３が、異物または光の横からの侵入を防止するのに必要なだけ長く設計されるデザインを示す。眼鏡がこのような短いテンプル部分にもかかわらず、頭に十分に保持可能なことを確実にするために、弾性バンド２１は、眼鏡を着用するときに、左右のテンプル３を連結して、頭の後ろを通じて引き寄せられるように設けられている。これは、眼鏡が風などの激しい動きでさえ眼の領域を安全に保護可能であることを確実にする。眼鏡は、広範囲にわたる位置で着用することができる。
【００５６】
図３２は、テンプル３の長手方向に沿って２つに分離した強固なテンプル３を備え、継手部２０によって耳の端部で連結される発明された眼鏡の別のデザインの図を示す。柔軟性材料でできている一体成形のテンプル３とは対照的に、図３２の強固なテンプル３は、いかなる張力も確立しない。眼鏡の元に戻ろうとする張力は、専ら光学中心部分２によって発生する。
【００５７】
このようにして、使用位置において、光学中心部分２を横切らないがそれににもかかわらず着用者の眼に到達する、側面から入る光が可能な限り防止される眼鏡１を達成することができる。眼鏡１は、それらが平坦に、または、予めほとんど反っていない状態で保管ができ、したがって、しまい込むのが容易であるので、取り扱いが実用的である。また、発明の眼鏡１は安価に製造され得る。
【符合の説明】
【００５８】
１  眼鏡
２  光学中心部分
３  テンプル
４  枢支連結部
５  折り曲げ線
６  接着フラップ
７  折り曲げ区域
８  フィルムヒンジ
９ａ  第１のヒンジ部分
９ｂ  第２のヒンジ部分
１０  湾曲部
１１  補強湾曲部
１２  溝穴
１３  ビード
１４  凹部
１５  金属テンプル
１６  間隙
１７  重複部
１８  弾性シール
１９  剛性要素
２０  継手部
２１  弾性バンド
２２  長手方向突張り部
２３  厚くなる領域
【図１】
2020510231.tif 000003
【図２】
2020510231.tif 000004
【図３ａ】
2020510231.tif 000005
【図３ｂ】
2020510231.tif 000006
【図３ｃ】
2020510231.tif 000007
【図４】
2020510231.tif 000008
【図５】
2020510231.tif 000009
【図６ａ】
2020510231.tif 000010
【図６ｂ】
2020510231.tif 000011
【図６ｃ】
2020510231.tif 000012
【図７】
2020510231.tif 000013
【図８】
2020510231.tif 000014
【図９】
2020510231.tif 000015
【図１０】
2020510231.tif 000016
【図１１】
2020510231.tif 000017
【図１２】
2020510231.tif 000018
【図１３】
2020510231.tif 000019
【図１４】
2020510231.tif 000020
【図１５ａ】
2020510231.tif 000021
【図１５ｂ】
2020510231.tif 000022
【図１５ｃ】
2020510231.tif 000023
【図１６ａ】
2020510231.tif 000024
【図１６ｂ】
2020510231.tif 000025
【図１７ａ】
2020510231.tif 000026
【図１７ｂ】
2020510231.tif 000027
【図１８】
2020510231.tif 000028
【図１９】
2020510231.tif 000029
【図２０】
2020510231.tif 000030
【図２１ａ】
2020510231.tif 000031
【図２１ｂ】
2020510231.tif 000032
【図２２ａ】
2020510231.tif 000033
【図２２ｂ】
2020510231.tif 000034
【図２２ｃ】
2020510231.tif 000035
【図２３ａ】
2020510231.tif 000036
【図２３ｂ】
2020510231.tif 000037
【図２３ｃ】
2020510231.tif 000038
【図２４ａ】
2020510231.tif 000039
【図２４ｂ】
2020510231.tif 000040
【図２４ｃ】
2020510231.tif 000041
【図２４ｄ】
2020510231.tif 000042
【図２５】
2020510231.tif 000043
【図２６ａ】
2020510231.tif 000044
【図２６ｂ】
2020510231.tif 000045
【図２７ａ】
2020510231.tif 000046
【図２７ｂ】
2020510231.tif 000047
【図２８ａ】
2020510231.tif 000048
【図２８ｂ】
2020510231.tif 000049
【図２９ａ】
2020510231.tif 000050
【図２９ｂ】
2020510231.tif 000051
【図３０ａ】
2020510231.tif 000052
【図３０ｂ】
2020510231.tif 000053
【図３１ａ】
2020510231.tif 000054
【図３１ｂ】
2020510231.tif 000055
【図３２】
2020510231.tif 000056
【手続補正書】
【提出日】令和1年10月30日(2019.10.30)
【手続補正１】
【補正対象書類名】明細書
【補正対象項目名】全文
【補正方法】変更
【補正の内容】
【発明の詳細な説明】
【技術の分野】
【０００１】
本発明は２つのテンプルを備えた眼鏡に関し、それぞれのテンプルは、使用位置で視界を覆っている光学中心部分に、枢支連結部を介してヒンジで取り付けられており、テンプルを光学中心部分に作用させる保管状態から、テンプルを中心部分から外側へ折る使用状態に枢動することができ、光学中心部分は、請求項１の一般的な条件によれば、柔軟性のある材料でできている。
【背景技術】
【０００２】
柔軟な弾性材でできている光学中心部分を有するこのタイプの眼鏡は、例えば、着用者の目に放射される光の全体的な強度を弱めるか、または、選択された周波数範囲に対する光の強度を弱めるのに役立つ。実施例としては、サングラスまたはイエローフィルタガラスがある。使用位置の視界を覆う光学中心部分の製造に対しては、体のメラトニンのバランスに影響を与えるために、サングラスのように紫外線の周波数範囲、または、イエローフィルタガラスのように青色の周波数範囲の光を弱めて、かつ柔軟性のある特別な合成材料は公知である。ここで柔軟性とは、手で扱うときに、対応する材料の伸縮が不可能であるが曲げやすく、無負荷状態においてはその最初の状態に弾性的に戻ることを意味する。さらに、光学中心部分の右左の視界が、３次元画像を表示するための異なるフィルタ特性を有し、したがって３Ｄ眼鏡とも呼ばれる眼鏡は公知である。これらの眼鏡はまた、対応する光学特性を備えたプラスチックでできており、それは通常柔軟性がある。
【０００３】
特に防護効果を達成させる場合、光学中心部分は、顔に可能な限り近接して配置されなければならず、そのため、眼鏡の端部と皮膚表面との間の距離は可能な限り小さく保たれる。このようにして、着用者の目に達するにもかかわらず光学中心部分を横切らない、側面から入る光量を減らすことができる。加えて、機械的な障壁を眼域とその周囲との間に作製して、ダスト、砂、液飛びなどからのさらなる保護を提供できる。しかしながら、これには実用上限界があり、それは例えば着用者が、欠陥のある視力を補正するために眼鏡を着用し、さらにはイエローフィルタガラスまたは３Ｄ眼鏡を着用しなければならないときである。側面から入る光量を減らすために、我々は、光学中心部分のフレーム部が、基本的に眼鏡の光学的に有効な表面から垂直に突出し、使用位置において着用者の顔に延在するデザインについても知っている。しかしながら、これらのデザインでは実用上かさ高くて扱いにくく、製造するのに比較的高価である。
【発明の概要】
【発明が解決しようとする課題】
【０００４】
したがって、使用位置において、着用者の目に達するにもかかわらず光学中心部分を横切らない、側面から入る光の大部分を抑止する眼鏡を実現することが本発明の目的である。眼鏡は、扱いが実用的でかつ製造が安価でなければならない。
【課題を解決するための手段】
【０００５】
これらの目的は、請求項１に記載の特徴を通して達成される。請求項１は２つのテンプルを備えた眼鏡に関し、各々のテンプルは、使用位置で視界を覆っている光学中心部分に、枢動連結部を介してヒンジで取り付けられて、テンプルを光学中心部分に作用させる保管状態から、テンプルを中心部分から外側へ折る使用状態に枢動すること可能であり、光学中心部分は柔軟性材料でできている。本発明によれば、枢支連結部の少なくとも１つの湾曲した枢支軸、または、互いに交差して配置される枢支連結部のうち少なくとも２本の直線の枢支軸を介して中心部分に各々関節でつながれている２つのテンプルを提供し、光学中心の柔軟性材料は、枢支角度が増加するにつれて、テンプルが外側へ枢動して、次第に湾曲するようになるときに、テンプルの枢支角度に依存する状態をとる。互いに交差して配置される直線の回転軸の場合には、回転軸またはそれらの想像上の延長部分は、０°または１８０°と異なる角度αを囲み、したがって、互いに平行して配置されない。
【０００６】
このデザインは、光学中心部分が柔軟性材料でできており、テンプルを外側へ回動するときに増加する回動角度によって、テンプルの回動角度に依存して次第に湾曲する状態をとるといった効果を有する。より剛性のある光学中心部分の柔軟性材料は、回転軸または互い対して少なくとも２本の直線の回転軸の傾斜角からなる反りをより大きくし、より大きな回転角度は、作用するより大きな曲げ力となる。枢動軸および光学中心部分の曲げ弾性の好適な選択によって、テンプルを広げるときに、中心部分の異なる曲度を達成することができ、曲度は非常にきついために、光学中心部分を、使用位置におけるその外周ラインによって、着用者の顔と少なくとも部分的に接触してもたらすこともできる。着用者の目に達するにもかかわらず光学中心部分を横切らない、側面から入る光は、このように可能な限り減らすことができる。本発明による眼鏡の大きさが好適である場合、欠陥のある視力の補正用のガラスは、本発明による眼鏡の下部にも着用させることができる。光学中心部分にテンプルを戻すために眼鏡を取り外す場合、光学中心部分はその位置に弾性的に戻る。光学中心部分は通常フレームがなく、テンプルは光学中心部分に直接ヒンジに取り付けられ、従来の方法のようなフレームに取り付けられないため、テンプルが外側へ回動されるときに発揮される曲げ力は、光学中心部分に直接に伝達されて、その反りが生じる。光学中心部分は、眼鏡のそれと類似の外周部を有し、２つの可視領域および２つの可視領域より狭い中央の鼻領域を画定する。加えて、湾曲した光学中心部分は、それらの平坦状態にテンプルを戻して、光学中心部分の方向にそれらを引き寄せる力を発揮するので、回転軸の独創的なデザインによって、テンプルは眼鏡を広げるときに、着用者のテンプルにわずかな接触圧力を発揮するようになる。
【０００７】
光学中心部分は、特に保管状態における実用的な取り扱い、およびより費用効果の高い製造を可能にするために、保管状態において平坦状態を採用することができる。しかしながら、保管状態にてあらかじめ湾曲させて、眼鏡テンプルが外側へ回転するにつれて光学中心部分が内側よりもむしろ外側へ確実に湾曲し、必要な曲げ力を減らす光学中心部分も提供し得る。
【０００８】
本デザインによれば、テンプルおよび光学中心部分は、同じ柔軟性材料から作ることができ、そのため、特に単純かつ費用効果の高い解決が可能である。これらのデザインにとって、回転連結部が少なくとも１つの折り曲げ線または折り曲げ区域があることが望まれる。折り曲げ線または折り曲げ区域は、例えばこれらの領域の穿孔により、材料を弱めることによって達成させることができる。
【０００９】
回転連結部は、０°から少なくとも９０°までテンプルの回転角度を許容しなければならない。テンプルの頻繁な回転を通じて、回転継手に作用する力により生じる材料の損傷を減らすために、回転継手は、折り曲げ線ごとに曲げ角度を減らすための少なくとも２つの平行した折り曲げ線であることが望まれる。９０°の回動角度では、例えば、折り曲げ線ごとの曲げ角度は４５°まで減少し、材料の応力を軽減させる。いくつかの平行した折り曲げ線を実現する場合、問題の回転継手の領域は、上記のように折り曲げ区域内で最終的に変化する。
【００１０】
さらなるデザイン形態は、フィルムヒンジである回転連結部を提供する。ここで、材料フィルムは、テンプルに対してその第１の末端部に、例えば接着して取り付けられ、かつ光学中心部分に対してその第２の端部に取り付けられる。好ましくは、フィルムヒンジは、中心部分の光学特性に影響を及ぼさないデザインのアクセントを設定するために、テンプルおよび光学中央部の外側に取り付けられる。フィルムヒンジは、フィルムヒンジによってビードが形成される２つの平行した折り曲げ線をその間に有することが好ましい。このようにして、フィルムヒンジ上のせん断負荷が軽減する。加えて、ビードが安定化機能を有するので、より長い距離によって、テンプルから光学中心部分まで曲げ力の伝達を損なわずに解決することができる。
【００１１】
さらに、光学中心部分の横断方向に走る対称軸に対して、対称および垂直である少なくとも１つの湾曲部を有すべきである中心部分が提案されることが好ましい。対称軸は鼻領域を走り、眼鏡を２つの対称的な半分に分ける。湾曲部は、テンプルを広げるときに、光学中心部分が内側でなく外側へ確実に湾曲する。加えて、このような湾曲部は、光学中心部分、特に狭い鼻部を強固にする。あるいは、光学中心部分の横断方向に延在している対称軸に対して対称的におよび直角に配置される少なくとも１つの長手方向の補強材を有する中心部分を提供し得る。さらに、テンプルの長手方向に走る少なくとも１つの長手方向の補強材を各々有するテンプルも設けられ得る。
【００１２】
好ましくは、テンプルは、いずれの場合においてもハンガーを強固にするために、ハンガーの長手方向に走る少なくとも１つの補強湾曲部も有する。
【００１３】
テンプルは、通常、テンプルの間の光学中心部分の延長部分より長いので、テンプルが保管状態で他のテンプルを収容するように凹部を各々有することも示唆されている。このように、眼鏡テンプルは、平坦な外形の保管状態で光学中心部分と接触させることができる。
【００１４】
さらに、光学中心部分がテンプルを越えてわずかに突き出す場合、またはテンプルが光学中心部分を越えてわずかに突き出す場合には、有利なことが示されている。加えて、テンプルおよび／または光学中心部分が回転連結部の領域で弾性シールを有し得ることが可能である。
【００１５】
加えて、回転継手が光学中心部分をそれぞれのテンプルに連結している折り曲げ区域として設計され、折り曲げ区域より弱い曲げ弾性を備えた材料のうち少なくとも一部分を有するテンプルを提案する。この曲げ弾性の変化は、光学中心部分、折り曲げ区域、およびテンプル用に異なるプラスチック材料を使用することによって、または異なる厚さの材料を用いて達成されることができる。
【００１６】
本発明は、添付図面の助けを借りた実施例を用いて、以下にさらに詳細に説明される。
以下に図面を示す。
【図面の簡単な説明】
【００１７】
【図１】使用位置における発明された眼鏡のデザインを示す斜視図である、
【図２】使用位置における発明された眼鏡の型を示す側面図である、
【図３ａ】外側へ回動したテンプルを上から見た本発明による眼鏡のデザインを示す図である、
【図３ｂ】外側へ回動したテンプルを正面から見た本発明による眼鏡のデザインを示す図である、
【図３ｃ】外側へ回動したテンプルを側面から見た本発明による眼鏡のデザインを示す図である、
【図４】保管状態にテンプルを回動した本発明による眼鏡のデザインを示す斜視図である、
【図５】互いに交差するように配置される２本の直線からなる回転軸を各々備えた発明された眼鏡のデザインである、
【図６】互いに対する回転軸の傾斜角（図６ａおよび６ｂ）およびテンプルの回転角度（図６ｃ）に関する反りの依存性を説明する線図である、
【図７】互いに交差するように配置される３本の直線からなる回転軸を各々備えた発明された眼鏡のデザインである、
【図８】湾曲した回転軸を各々備えた本発明による眼鏡のデザインである、
【図９】本発明による眼鏡用の３つの異なる眼鏡のテンプルの型である、
【図１０】本発明による眼鏡の一体成形のデザインである、
【図１１】本発明による眼鏡の３つに分けたデザインである、
【図１２】２つの平行した折り曲げ線を備えた光学中心部分に対するテンプルの回転連結部を示す詳細図である、
【図１３】折り曲げ区域を備えた光学中心部に対するテンプルの回転連結部を示す詳細図である、
【図１４】ヒンジを介した回転連結部のデザインを描写したものである、
【図１５】眼鏡の未連結状態（図１５ａ）、挿入状態（図１５ｂ）、および保管状態（図１５ｃ）に相当する状態におけるヒンジを介した回転連結部のさらなるデザインを描写したものである、
【図１６】保管状態（図１６ａ）および広げた状態（図１６ｂ）に相当する状態におけるフィルムヒンジを介した枢支連結部のさらなるデザイン形態を描写するものである、
【図１７ａ】斜視図の図１６ａによるデザインである、
【図１７ｂ】斜視図の図１６ｂによるデザインである、
【図１８】中心部分において湾曲部を備えた本発明の眼鏡のさらなる型を描写したものである、
【図１９】テンプルの長手方向に走る湾曲部を備えた発明された眼鏡のさらなるデザインを描写したものである、
【図２０】もう一方のテンプルを収容するためにテンプルと中心部分との間に提供される溝穴を備えた発明された眼鏡のさらなるデザインを描写したものである、
【図２１ａ】テンプルを備えた本発明の眼鏡のさらなるデザイン形態の透視投影図であり、それは各々がそれぞれのもう一方のテンプルを受容するための凹部を有し、図２１ａでは右のテンプルは部分的に折り重ねられている、
【図２１ｂ】図２１ａのデザインであり、図２１ａにおける右のテンプルが、完全に折り重ねられているものである、
【図２２ａ】図２１による発明の眼鏡用の第１の型の凹部である、
【図２２ｂ】図２１による発明の眼鏡用の第２のデザインの凹部である、
【図２２ｃ】図２１による発明の眼鏡用の第３のデザインの凹部である、
【図２３ａ】テンプルと光学中心部分との間に部分的に開いた間隙を備えた本発明による眼鏡の別の型である、
【図２３ｂ】本発明による眼鏡の別の型であり、そこでは光学中心部分がテンプルをわずかに越えて突き出している、
【図２３ｃ】テンプルが光学中心部分をわずかに越えて突き出している発明された眼鏡の別の型である、
【図２４ａ】テンプルと光学中心部分との間の部分的に開いた間隙を備えた発明の眼鏡の別の型である、
【図２４ｂ】本発明の眼鏡のさらなるデザインであり、それにテンプルおよび光学中心部分が、回転連結部の領域に弾性シールを有しているものである、
【図２４ｃ】本発明による眼鏡のさらなるデザインであり、それにテンプルが回転連結部の領域で弾性シールを有するものである、
【図２４ｄ】本発明による眼鏡のさらなるデザイン形態であり、それに光学中心部分が枢動連結部の領域で弾性シールを有するものである、
【図２５】耳部により近い末端部がテンプルの柔軟部分の中へ突き出ている剛性要素によって形成される発明の眼鏡の別のデザインである、
【図２６ａ】本発明による眼鏡を備えたテンプルの折り畳みを図示している、
【図２６ｂ】本発明による眼鏡を備えたテンプルの折り畳みを図示している、
【図２７ａ】２つに分けたテンプルを備えた発明の眼鏡の別のデザインを図示している、
【図２７ｂ】２つに分けたテンプルを備えた発明の眼鏡の別のデザインを図示している、
【図２８ａ】本発明による眼鏡のさらなるデザイン形態を図示しており、それにテンプルが柔軟性材料によって前部に、およびアーチ型金属テンプルによって後部に形成されているものである、
【図２８ｂ】本発明による眼鏡のさらなるデザイン形態を図示しており、それにテンプルが柔軟性材料によって前部に、およびアーチ型金属テンプルよって後部に形成されているものである、
【図２９ａ】弾性のある保持式ストラップを備えた本発明にしたがう眼鏡の別のデザインを図示している、
【図２９ｂ】弾性のある保持式ストラップを備えた本発明にしたがう眼鏡の別のデザインを図示している、
【図３０ａ】長手方向補強材を備えた本発明による眼鏡の他のデザインを図示している、
【図３０ｂ】長手方向補強材を備えた本発明による眼鏡の他のデザインを図示している、
【図３１ａ】中心部分またはテンプル上の厚い領域を備えた本発明にしたがう眼鏡のさらなるデザインを描写している、
【図３１ｂ】中心部分またはテンプル上の厚い領域を備えた本発明にしたがう眼鏡のさらなるデザインを描写している、
【図３２】耳部の端部にある継手部によって連結した強固な２つに分けたテンプルを備えた発明された眼鏡のさらなるデザインを描写している。
【発明を実施するための形態】
【００１８】
最初に、図１および図２を参照すると、異なる図の使用位置における発明された眼鏡１の型を示す。眼鏡１は、光学中心部分２および２つのテンプル３を有し、その各々が回転連結部４を介して光学中心部分２にヒンジで取り付けられる。添付図面では、回転連結部４を太線で示す。図１および２による使用位置では、光学中心部分２は、着用者の視界にわたって湾曲した状態であり、それによって、光学中心部分２の外周ラインは、光学中心部分２を横切らないが、それににもかかわらず着用者の眼に到達する光ができる限り側面から入るのを避けるために、着用者の顔と少なくとも部分的に接触する。図３は、上から（図３ａ）、正面から（図３ｂ）、および側面から（図３ｃ）参照した外側へ回動させたテンプルを備えた発明された眼鏡の実施形態の図を示す。特に、光学中心部分２は、使用の際に、その母線が対称軸Ｓに対して垂直に走るとき、おおよそ円筒状の反りを有することが分かる。光学中心部分（図３ｂ）は、側面（図３ｃ）からも見ることができる。
【００１９】
光学中心部分２は通常フレームがなく、テンプル３は従来通りの事例のようなフレームにではなく、光学中心部分２に直接ヒンジに取り付けられているため、テンプル３を外側へ回動する間に働く曲げ力が、光学中心部分２に直接伝達されて、その反りを生じさせる。本目的のために、光学中心部分２は、２つの可視領域２ａを画定する眼鏡と類似の外周ライン、および２つの可視領域２ａより狭い中央の鼻領域２ｂ（図３ｂ）を有する。テンプル３と同様に光学中心部分２は、柔軟性材料、好ましくは必要な光学特性を備えた合成材料でできている。
【００２０】
保管状態のときには、テンプル３は、図４に示すように、光学中心部分２に取り付けられることができる。示されるデザインでは、光学中心部分２は保管状態では平坦状態を装い、これは、生産を容易にするだけでなく、平坦な構造体、したがってコンパクトな保管のために、実際の取り扱いもおおいに容易にする。
【００２１】
図５〜８に基づいて、回転連結部４の異なる幾何学的な具現形が、テンプル３を外側へ回動させる間に光学中心部分２の所望の反りを達するために説明される。互いに交差するように配置される回転連結部４の直線の回転軸の場合には、回転軸またはそれらの想像上の延長部分は、０°または１８０°と異なる角度αを取り囲み、したがって、互いに平行して配置されない（図５）。このデザインは、光学中心部分２が、それが柔軟性材料でできており、テンプル３を外側へ回動するときに、回転角度が増加するにつれて、ますます湾曲するようになるテンプル３の回転角度に依存する状態をとるといった効果を有する。互いに対する少なくとも２つの直線からなる枢支軸の傾斜角が大きくなるほど、図６ａおよび６ｂの比較から分かるように、および、テンプル３の枢動角度が大きくなるほど、図６ｃによって示されるように、より大きな反りが達成される。回転軸および光学中心部分２の曲げ弾性の好適な選択によって、中心部分２の異なる曲度は、テンプル３を広げるときに達成されることができる。
【００２２】
そうする際に、図７に示すように、各々が互いに交差するように配置される回転連結部４の３つからなる直線の回転軸を備えた、発明された眼鏡１のデザインを実現することも可能である。さら多くの回転連結部４が、実際にまたは考えられる限り選択される場合、図８に示すような外形は、そこに２つのテンプル３が湾曲した回転軸を介して中心部２の回転連結部４に対する各々のヒンジに取り付けられるように最終的に達成されることができるが、それを連続的に設計することもできる。
【００２３】
図９は、発明の眼鏡１用のテンプル３からなる３つの異なる型を示し、それによって、例えば、図３の中心部分２に対するテンプル３の回転連結部４の２つの回転軸が、テンプル３にどのように割り当てられるかが明らかにもなる。テンプル３は、光学中心部分２と一体となって、または、分離してしたがって交換可能な部品として設計されることができる。交換可能な部品の場合には、例えば顔が異なる形状のために中心部分２を交換し、または頭が異なる形状のためにテンプル３とも交換することが可能となる。
【００２４】
図１０は、発明の眼鏡１の一体成形の型を示し、２つのテンプル３は、折り曲げ線５を介して光学中心部分２の上部にヒンジで取り付けられる。この折り曲げ線５は、材料を弱めることによって、例えばこの領域の穿孔によって達成されることができる。中心部分２の下部領域にでは、接着フラップ６が形成され、それを図１０の矢印によって示されるように、テンプル３に取り付けることができる。接着フラップ６は、折り曲げ線５も有する。接着フラップ６をそれぞれのテンプル３に取り付けた後に、テンプル３が保管状態であるときに、テンプル３が光学中心部分２と接触するときのみ張力のない状態をとることができる。テンプル３が中心部分２から遠ざけられるとすぐに、すなわち、外側へ回動されるとすぐに、中心部分２を、中心部分２の反りの増大を生じさせる張力の状態に至らせる。明らかに、接着フラップ６を、それぞれのテンプル３に設けることもでき、この場合、中心部分２の下部領域に接着させることができる。
【００２５】
図１０と対照的に、図１１は、光学中心部分２および２つのテンプル３が個別の部品として各々設計される３つに分けたデザインを示す。接着フラップ６は、中心部分２の上下領域に形成されて、テンプル３に、例えば接着することによって取り付けられることができる。対して接着フラップ６は折り曲げ線５を有する。
【００２６】
すでに述べたように、テンプル３の回転連結部４は、０°から少なくとも９０°まで３つの回転角度を許容しなければならない。頻繁なテンプル３の回動を通じて回転連結部４に作用している力により生じる材料の損傷を低減するために、図１２に示すように、少なくとも２つの平行した折り曲げ線５となる回転連結部４を提供することができる。この手段は、折り曲げ線５当たりの曲げ角度を減少させる。９０°の回動角度では、このように、折り曲げ線５ごとの曲げ角度は４５°まで減少し、それによって、材料にかかるストレスは軽減することができる。いくつかの平行した折り曲げ線５が実現される場合、図１３に示すように、それぞれの回転連結部４の領域は、最終的に折り曲げ区域７に統合される。
【００２７】
図１４は、フィルムヒンジ８の第１の型を示す。ここで、材料フィルムは、例えば挿入されるか、鋲着されるか、または接着されるテンプル３に対してその第１の端部に取り付けられ、かつ光学中心部分２に対してその第２の端部に取り付けられる。図１４のフィルムヒンジ８は、折り曲げ線５を各々有する。対照的に、図１５はヒンジ９を示し、例えばテンプル３に固定される第１のヒンジ部分９ａは突起部を有し、例えば中心部分２に固定される第２のヒンジ部分９ｂは、第１のヒンジ部分９ａの突起部を挿入できる（図１５ｂ）ヒンジ溝穴（図１５ａ）を有する。突起部は、それらがそれらに割り当てられるそれぞれのヒンジ溝穴に挿入される場合、突起部が抵抗を圧倒しなければならないような方法で突起部を必要な大きさにし、そのため、このような方法で形成された回転連結部４は、再びそれ自体を離すことはできない。しかしながら、ヒンジ溝穴は、２つのヒンジ部分９ａ、９ｂが保管状態（図１５ｃ）において互いに対して非常に平坦になることができるように、依然として十分に広い。
【００２８】
図１６および１７は、フィルムヒンジ８がビード１３を形成する２つの平行した折り曲げ線５備えたフィルムヒンジ８の別の型を示す。このようにして、フィルムヒンジ８上のせん断応力は軽減する。加えて、ビード１３が安定化機能を有するので、より長い距離によって、テンプル３から光学中心部分２まで曲げ力の伝達を損なわずに解決することができる。好ましくは、フィルムヒンジ８は、中心部分２の光学特性に影響を及ぼさないデザインのアクセントを設定するために、テンプル３および光学中心部分２の外側に取り付けられる。
【００２９】
さらなるデザインによれば、点線によって図１８に示すように、湾曲部１０を有する中心部分２を設けることができる。この湾曲部１０が適切である場合、テンプル３を広げたとき、光学中心部分２を内側ではなく外側へ確実に湾曲させることができる。加えて、このような湾曲部１０は、光学中心部分２を、特により狭い鼻の領域２ｂにおいて補強する。
【００３０】
図１９は、テンプル３が、いずれの場合においてもテンプル３を強固にするために、テンプル３の長手方向に走る補強湾曲部１１を各々有することもできることを示す。この手段は、特にテンプル３に対して柔軟性材料を使用するときには、非常に有利であることが分かる。
【００３１】
さらにデザインにおいて、湾曲部１０または補強湾曲部１１の代わりに、長手方向補剛材２２は、図３０ａ，ｂに示すように、光学中心部分２またはテンプル３を補強するための湾曲部１０または補強湾曲部１１の代わりに中心部分２またはテンプル３に配置されまたは埋め込まれる。例えば、これらの長手方向補強材２２は、金属棒等のように、強固な長手方向要素として設計されることができる。さらにデザインにおいて、湾曲部１０または補強湾曲部１１の代わりに、図３１ａ，ｂに示すように、厚い領域２３がこれらの要素内に形成されて、光学中心部分２またはテンプル３を補強する。
【００３２】
図２０は、テンプル３は、通常テンプル３の間の光学中心部分２の延長部分を超えるので、溝穴１２がテンプル３と中心部分２との間に設けられ、保管状態にてもう一方のテンプル３を収容することができ、したがって、テンプル３が平坦な外形の保管状態で光学中心部分２と接触することができることを示す。テンプル３が光学中心部分２より長く、耳の領域で十分な支持を与えるので、それらは、溝穴１２を通して挿入されることが可能な眼鏡を折り重ねるときに、時には強く曲げられなければならない。テンプル３の材料がより厚い場合、このプロセスは、曲げ領域にて材料に重い負荷をかけ得る。
【００３３】
したがって、図２１ａ、ｂおよび２２ａ〜ｃは、２つのテンプル３が保管状態においてそれぞれのもう一方のテンプル３を受容するための凹部１４を各々有するタイプを示しており、そのため、眼鏡（図２１参照）が共に折り重ねられるとき、折り重ねられる第１のテンプル３は、その過程でテンプル３を曲げる必要はなく、反対側のテンプル３の凹部１４を通して光学中心部分２上に折り重ねられることができる。
【００３４】
図２２ｂは、テンプル３が金属テンプル１５、例えば好適なワイヤによって形成されるデザインを示しており、そのため、各テンプル３は、反対側のテンプル３の広げる領域を通して当然折り重ねられることができる。
【００３５】
図２２ｃは、テンプル３における凹部１４が回転連結部４に延在しないデザインを示しており、そのため、回転連結部４の領域では、光、風、小片（安全眼鏡として使用される場合）等を防ぐための保護部が残る一方で、しかし、他方では、それらが長手方向において、湾曲させ、折り重ねられ、または押し込む必要はなく、ここでこの小さな凹部１４を通じて突っ込むこともできるので、テンプル３は長手方向でなお強固であることができる。
【００３６】
テンプル３と光学中心部分２との間に形成される間隙１６を通した異物または光の侵入を防止するために、いくつかのデザイン形態が、実施例として以下に与えられる。
【００３７】
図２３ａは、テンプル３と光学中心部分２との間の間隙１６が依然として保護されていないデザインを示す。
【００３８】
他方では、図２３ｂは、光学中心部分２が回転連結部４の間の領域にテンプル３を越えて突設するデザインを示しており、この重複部１７は、異物および光の正面からの侵入を防止する。
【００３９】
図２３ｃは、テンプル３が回転連結部４の間の領域で光学中心部分２を越えて突設するデザインを示しており、この重複部１７は、異物および光の横からの侵入を防止する。
【００４０】
テンプル３と光学中心部分２との間に形成される間隙１６を通る異物または光の侵入を防止するさらなる可能性として、図２４ａ〜ｄを示す。
【００４１】
図２４ａは、テンプル３と光学中心部分２との間の間隙１６が依然として保護されていないデザインを示す。
【００４２】
他方では、図２４ｂは、光学中心部分２およびテンプル３が回転連結部４の間の領域の弾性シール１８を有するデザインを示しており、それは異物および光の侵入を防止する。
【００４３】
図２４ｃは、テンプル３が回転連結部４の間の領域に弾性シール１８を有するデザインを示しており、それは異物および光の侵入を防止する。
【００４４】
図２４ｄは、光学中心部分２が回転連結部４の間の領域に弾性シール１８を有するデザインを示しており、それは異物および光の侵入を防止する。
【００４５】
勿論、上述したシーリングオプションを、混合形態で使用することもでき、または、本明細書に明確に記載されてはいない他のシーリングオプションを使用することもできる。
【００４６】
使用において本発明による眼鏡の安定性または剛性は、光学中心部分２およびテンプル３の反りによって与えられる。しかしながら、耳領域のテンプル３の材料が、非常に細くなるために満足な反りが存在しない場合、この領域は、頭から離れて曲がって、眼鏡の保持を危うくする可能性がある。
【００４７】
したがって、図２５はテンプル３のデザインを示しており、そのデザインでは、耳により近い端部は、テンプル３の柔軟性領域中へ突き出る剛性要素１９によって形成されて、眼鏡を展開した後に、頭の安定した保持を確実にする。
【００４８】
眼鏡を折り重ねるときに、反対側の溝穴１２、または反対側の凹部１４にテンプル３の強制的な挿入を回避するために、３つのさらなるデザインを以下に与える。
【００４９】
図２６ａ、ｂは、折り曲げ線５に沿ったテンプル３の単純な折り重ねを示す。これは、テンプルの材料が薄い場合に可能である。眼鏡を広げて、テンプル３の折り重ねた部分も広げる場合、それは、円筒状の反りを帯び、もはや頭から離れて曲がる可能性はない。
【００５０】
図２７ａ、ｂは２つに分けたテンプル３を示す。テンプル３の２つのテンプル部分は、光学中心部分２とテンプル３との間の連結部と類似の継手部２０によって互いに連結しているが、ここでは継手部２０の回転軸は一列に並んでいる。
【００５１】
図２８ａ、ｂは、テンプル３が弾性材料によって光学中心部分２の近くのそれらの領域で、また精密に形成された金属テンプル１５によって光学中心部分２から遠いそれらの領域で、形成される実施形態を示す。
【００５２】
図２９ａ，ｂは、光学中心部分２に近い領域のテンプル３が、異物または光の横からの侵入を防止するのに必要なだけ長く設計されるデザインを示す。眼鏡がこのような短いテンプル部分にもかかわらず、頭に十分に保持可能なことを確実にするために、弾性バンド２１は、眼鏡を着用するときに、左右のテンプル３を連結して、頭の後ろを通じて引き寄せられるように設けられている。これは、眼鏡が風などの激しい動きでさえ眼の領域を安全に保護可能であることを確実にする。眼鏡は、広範囲にわたる位置で着用することができる。
【００５３】
図３０ａ、ｂは、本発明による眼鏡のさらなるデザインの描写を示し、中央部分２は、光学的中心部分２の横断方向に延在する対称軸に対して対称的にかつ直角に配置された少なくとも１つの長手方向の補強材２２を有する。さらに、テンプル３の長手方向に走る少なくとも１つの長手方向の補強材２２を各々有するテンプル３も設けられ得る。
【００５４】
図３１ａ、ｂは、中間部２またはテンプル３上で厚くなる領域２３を備えた発明された眼鏡のさらなるデザインの描写を示す。
【００５５】
図３２は、テンプル３の長手方向に沿って２つに分離した強固なテンプル３を備え、継手部２０によって耳の端部で連結される発明された眼鏡の別のデザインの図を示す。柔軟性材料でできている一体成形のテンプル３とは対照的に、図３２の強固なテンプル３は、いかなる張力も確立しない。眼鏡の元に戻ろうとする張力は、専ら光学中心部分２によって発生する。
【００５６】
このようにして、使用位置において、光学中心部分２を横切らないが、それににもかかわらず着用者の眼に到達する側面から入る光が可能な限り防止される眼鏡１を達成することができる。眼鏡１は、それらが平坦に、または、予めほとんど反っていない状態で保管ができ、したがって、しまい込むのが容易であるので、取り扱いが実用的である。また、発明の眼鏡を安価に製造することができる。
【符合の説明】
【００５７】
１  眼鏡
２  光学中心部分
３  テンプル
４  回転連結部
５  折り曲げ線
６  接着フラップ
７  折り曲げ区域
８  フィルムヒンジ
９ａ  第１のヒンジ部分
９ｂ  第２のヒンジ部分
１０  湾曲部
１１  補強湾曲部
１２  溝穴        
１３  ビード
１４  凹部
１５  金属テンプル
１６  間隙
１７  重複部
１８  弾性シール
１９  剛性要素
２０  継手部
２１  弾性バンド
２２  長手方向突張り部
２３  厚くなる領域
【手続補正２】
【補正対象書類名】特許請求の範囲
【補正対象項目名】全文
【補正方法】変更
【補正の内容】
【特許請求の範囲】
【請求項１】
眼鏡（１）であって、使用位置では視界を覆って、保管状態から枢動することができる光学中心部分（２）に、枢支連結部（４）を介して各々関節でつながれている２つのテンプル（３）を有しており、保管状態では、前記テンプル（３）は前記光学中心部分（２）に作用しており、使用状態では、前記テンプル（３）を前記中心部分（２）から外側へ折っており、前記光学中心部分（２）は柔軟性材料から製造される眼鏡（１）において、前記光学中心部分（２）は柔軟性材料から作られており、前記２つのテンプル（３）は、いずれの場合においても、前記枢支連結部（４）のうち少なくとも１本の湾曲した枢支軸を介して、または、いずれの場合においても、互いに交差して配置される前記枢支連結部（４）のうち少なくとも２本の直線の枢支軸を介して、前記中心部分（２）に関節でつながれており、前記光学中心部分（２）は、柔軟性材料から製造され、前記テンプル（３）が外側へ枢動するときに、前記テンプル（３）の枢支角度に依存して前記枢支角度が増すことにより次第に湾曲する状態をとることを特徴とする眼鏡（１）。
【請求項２】
前記枢動連結部（４）の枢動軸および前記光学中心部（２）の曲げ弾性の好適な選択による前記光学中心部分（２）は、前記テンプル（３）を広げるときに、様々な大きさの前記中心部分（２）の反りを形成することを特徴とする、請求項１に記載の眼鏡（１）。
【請求項３】
前記枢支連結部（４）は、少なくとも１つの折り曲げ線（５）または折り曲げ区域（７）であることを特徴とする、請求項１または２に記載の眼鏡（１）。
【請求項４】
前記光学中心部分（２）、前記折り曲げ区域（７）、および前記テンプル（３）に対する前記曲げ弾性は、異なるプラスチック材料または異なる厚さの材料を使用することで変化することを特徴とする、請求項３に記載の眼鏡（１）。
【請求項５】
前記枢支連結部（４）は、フィルムヒンジ（８）であることを特徴とする、請求項１〜４のうち一項に記載の眼鏡（１）。
【請求項６】
前記フィルムヒンジ（８）は、前記フィルムヒンジ（８）が２本の平行した折り曲げ線（５）を有し、それらの間に前記フィルムヒンジ（８）がビード（１３）を形成することを特徴とする、請求項５に記載の眼鏡（１）。
【請求項７】
前記中心部分（２）は、前記光学中心部分（２）の横断方向に走る対称軸（Ｓ）に対称的におよび直角に配置される少なくとも１つの湾曲部（１０）を有することを特徴とする、請求項１〜６のうち一項に記載の眼鏡（１）。
【請求項８】
前記テンプル（３）は、前記テンプル（３）の長手方向に走る少なくとも１つの補強湾曲部（１１）を各々有することを特徴とする、請求項１〜７のうちいずれか一項に記載の眼鏡（１）。
【請求項９】
前記中心部分（２）は、前記光学中心部分（２）の横断方向に走る対称軸（Ｓ）に対称的におよび直角に配置される少なくとも１つの長手方向の補剛材（２２）を有することを特徴とする、請求項１〜８のうち一項に記載の眼鏡（１）。
【請求項１０】
前記テンプル（３）は、前記テンプル（３）の長手方向に走る少なくとも１つの長手方向の補強材（２２）を各々有することを特徴とする、請求項１〜９のうち一項に記載の眼鏡（１）。
【請求項１１】
前記テンプル（３）は、前記保管状態において前記それぞれの一方のテンプル（３）を受け入れるための凹部（１４）を各々有することを特徴とする、請求項１〜１０のうち一項に記載の眼鏡（１）。
【請求項１２】
前記光学中心部分（２）は、前記テンプル（３）を越えてわずかに突設することを特徴とする、請求項１〜１１のうち一項に記載の眼鏡（１）。
【請求項１３】
前記テンプル（３）は、前記光学中心部分（２）を越えてわずかに突設することを特徴とする、請求項１〜１１のうち一項に記載の眼鏡（１）。
【請求項１４】
前記テンプル（３）および／または前記光学中心部分（２）は、前記枢支連結部（４）の領域で弾性シールを有することを特徴とする、請求項１〜１３のうち一項に記載の眼鏡（１）。
【請求項１５】
前記枢動連結部（４）は、前記光学中心部分（２）を前記それぞれのテンプル（３）に連結する折り曲げ区域（７）として設計されており、前記テンプル（３）は、前記折り曲げ区域（７）より弱い曲げ弾性を備えた材料でできている少なくとも一部分を有することを特徴とする、請求項１〜１４のうち一項に記載の眼鏡（１）。
【国際調査報告】
2020510231.tif 000057
2020510231.tif 000058
2020510231.tif 000059
2020510231.tif 000060
2020510231.tif 000061
2020510231.tif 000062